(57)【特許請求の範囲】
【請求項１】
略中央部に開口が設けられ前面側にランプを保持させるランプソケットが突設されてなる器具本体と、略中央に電源孔を備え前記器具本体の開口に挿入されるように取り付けられると共に開口の中心側に向かって出没自在とされた係止爪を備えたホルダ部と、配線器具に電気的、機械的に接続されると共に前記係止爪が係合するアダプタ部と、前記ランプと器具本体の間に配設されて前記開口に対向して前記ホルダ部の操作用開口が設けられた本体カバーとを有してなる照明器具において、前記器具本体の開口の周端と前記本体カバーの操作用開口の周端とにそれぞれ一体的に設けた内鍔部を前記本体カバーの平面視で前記ランプと重ならない部位に形成し、この内鍔部を前記器具本体の取付操作時に器具本体を前記本体カバーと共に支えるための指掛け部としたことを特徴とする照明器具。
【発明の詳細な説明】
【０００１】
【発明の属する技術分野】
本発明は、照明器具に関するものである。
【０００２】
【従来の技術】
一般に、器具本体の中央部に開口が設けられ、その開口に電源への電気的接続手段と機械的接続手段とを備えたホルダ部が取り付けられて、天井に取り付けられた配線器具に電気的、機械的に接続されたアダプタ部に、そのホルダ部で取り付けられる照明器具では、天井等への取付操作時に器具本体を手で支える部分は器具本体の外周端部、または器具本体の前面側に装着された本体カバーの表面しかなく、取付操作時に器具本体が持ち上げにくいものであった。
【０００３】
図８及び図９は、取付操作時に器具本体を持ち上げ易くした従来の照明器具を示すもので、この照明器具は、実開平５−８３９２１号公報に開示された照明器具であって、器具本体１と、ホルダ部２、アダプタ３、及びセード４とを備えて構成されている。
【０００４】
器具本体１は、略中央部に開口１ａを備え、その開口１ａの周端近傍には、ホルダ部２が取り付けられており、このホルダ部２を天井５に設けられた配線器具６に電気的、機械的に接続されるアダプタ部３に係止させて、天井５に取り付けられるように構成されている。また、器具本体１の前面側である下面側には、ランプ７を装着させるためのランプソケット（図示せず）が突設されており、周端部近傍には透光性を有するセード４の支持部（図示せず）が設けられている。また、器具本体１の下面側であって装着されるランプ７の上側には、つまり、器具本体１の平面視でランプ７と略重なる部位には、器具本体１の側方に開口するように内方に凹ませて形成された指掛け部１ｂが形成されている。
【０００５】
ホルダ部２は、略中央に電源孔２ａが設けられてなり、器具本体１の開口１ａにその電源孔２ａを対向させるように取り付けられると共に、電源孔２ａの中心側に向かって出没自在とされた係止爪２ｂと、その係止爪２ｂを後退させる解除釦２ｃとを備えて構成されている。
【０００６】
アダプタ部３は、天井５に取り付けられた配線器具６に電気的、機械的に接続される一対の栓刃（図示せず）を上面に備え、その栓刃を配線器具６に挿入させて回転させることにより配線器具６と接続され、その側面には係止爪２ｂが係止される係止溝３ａが設けられている。
【０００７】
このように構成された照明器具では、天井５への取付けに際しては、天井５に取り付けられた配線器具６である引掛シーリングにアダプタ部３の栓刃を係止させ、そのアダプタ部３の係止溝３ａに器具本体１に取付けられたホルダ部２の係止爪２ｂを係止させて器具本体１を天井５に取り付け、ランプソケットにランプ７を装着させた後に、下方からセード４を装着させて取り付けらる。
【０００８】
【発明が解決しようとする課題】
しかしながら、このように構成された従来の照明器具においては、指掛け部１ｂが、器具本体１の平面視でランプソケットに装着されたランプ７と略重なる部位に設けられているため、ランプ７を装着した状態では指掛け部１ｂに手をかけることができず、したがってランプ７を装着した状態では有効な指掛け部１ｂはなく、指掛け部１ｂを利用するには、器具本体１の取外しを含めた取付け操作をランプ７を外した状態で行う必要があって、取付け操作の作業性が悪いという問題点があった。
【０００９】
本発明は、上記問題点に鑑みてなされもので、その目的とするところは、器具本体の取付け操作の作業性をよくした照明器具を提供することにある。
【００１０】
【課題を解決するための手段】
本発明は上記の問題点を解決するため、請求項１記載の発明にあっては、略中央部に開口が設けられ前面側にランプを保持させるランプソケットが突設されてなる器具本体と、略中央に電源孔を備え前記器具本体の開口に挿入されるように取り付けられると共に開口の中心側に向かって出没自在とされた係止爪を備えたホルダ部と、配線器具に電気的、機械的に接続されると共に前記係止爪が係合するアダプタ部と、前記ランプと器具本体の間に配設されて前記開口に対向して前記ホルダ部の操作用開口が設けられた本体カバーとを有してなる照明器具において、前記器具本体の開口の周端と前記本体カバーの操作用開口の周端とにそれぞれ一体的に設けた内鍔部を前記本体カバーの平面視で前記ランプと重ならない部位に形成し、この内鍔部を前記器具本体の取付操作時に器具本体を前記本体カバーと共に支えるための指掛け部としたことを特徴とするものである。
【００１４】
【発明の実施の形態】
図１及び図２は、本発明の照明器具の第１の実施の形態を示すものであり、この照明器具は、器具本体１と、ホルダ部２、アダプタ部３、セード４、本体カバー８、及びランプソケット９とを備えて構成されている。
【００１５】
器具本体１は、略円板状であってその略中央部に開口１ａを備え、その開口１ａの周端近傍には、ホルダ部２が取り付けられており、このホルダ部２を天井５に設けられた配線器具６に電気的、機械的に接続されたアダプタ部３に係止させて、天井５に取り付けられるように構成されている。また、器具本体１の前面側である下面側には、ランプ７を点灯させる点灯装置（図示せず）が取り付けられており、その下面側には点灯装置を覆うように本体カバー８が装着され、その本体カバー８よりも下方に突出してランプ７を装着させるためのランプソケット９が設けられている。また、器具本体１の周端部近傍には、透光性を有するセード４を装着させるための支持部（図示せず）が設けられている。
【００１６】
ホルダ部２は、略中央にアダプタ部３が挿通可能な電源孔２ａが設けられてなり、器具本体１の開口１ａの中心と電源孔２ａの中心とが略一致するように器具本体１に取り付けられると共に、ばね（図示せず）により電源孔２ａの中心側に向かって出没自在とされた係止爪２ｂと、その係止爪２ｂを後退させる解除レバー（図示せず）とを備えて構成されている。
【００１７】
アダプタ部３は、天井５に取り付けられた配線器具５に電気的、機械的に接続される略Ｌ字状をなす一対の栓刃（図示せず）を上面に備え、その栓刃を配線器具５である引掛けシーリングに挿入させて回転させることにより配線器具５と接続される。また、アダプタ部３の側面には電源孔２ａの中心側に向かって突出した係止爪２ｂが係止される係止溝３ａが設けられており、また、下面側には栓刃と電気的に接続されて器具本体１の点灯装置等と接続されるコネクタ（図示せず）が設けられている。
【００１８】
本体カバー８は、上述のように点灯装置等を覆うように器具本体１に装着されるもので、その中央部であって器具本体１の開口１ａと対向する部位には、ホルダ部２の解除レバーを操作するための操作用開口８ａが設けられており、また、平面視でランプソケット９に装着されたランプ７と重ならない部位である、環状のランプ７の略中心と対向する部位に、器具本体１を天井５に取付操作する際に、指を掛けて器具本体１を本体カバー８と共に支えるための指掛け部８ｂが、少なくとも１つ設けられている。
【００１９】
このように構成された照明器具では、器具本体１の天井５への取付けに際しては、まず、天井５に取り付けられた配線器具６である引掛シーリングにアダプタ部３の栓刃を係止させてアダプタ部３を配線器具６に電気的、機械的に接続させて固定し、その下方からホルダ部２が取り付けられた器具本体１を指掛け部８ｂに指を掛けて押し上げて、アダプタ部３の係止溝３ａまたは上面に、器具本体１に取付けられたホルダ部２の係止爪２ｂを係止させて器具本体１を天井５に取り付ける。そして、ランプソケット９にランプ７を装着させた後に、下方からセード４を器具本体１を装着させて取り付けらる。なお、このときランプ７は、アダプタ部３にホルダ部２を係止させる前に装着させておくこともできる。
【００２０】
このように構成されているため、本実施の形態における照明器具においては、指掛け部８ｂが、本体カバー８の平面視でランプソケット９に装着されたランプ７と重ならない部位である、環状のランプ７の略中心と対向する部位に設けられているため、ランプソケット９にランプ７を装着した状態であっても器具本体１の取付操作を、指掛け部８ｂに指を引っ掛けて器具本体１を支えて行うことができ、器具本体１を不用意に落としにくくなって取付操作の作業性が向上する。
【００２１】
図３及び図４は、本発明の照明器具の第２の実施の形態を示すものであり、前記第１の実施の形態と異なる点は、指掛け部８ｂを、本体カバー８の環状のランプ７の略中心と対向する部位に代えて、本体カバー８の操作用開口８ａの周端近傍と、器具本体１の開口１ａの周端近傍とにそれぞれ一体的に形成した内鍔部８ｃ、１ｃとした点であり、他は前記第１の実施の形態と同様に構成されている。なお、図において２ｄは係止爪２ｂを突出させるように付勢するばねを、２ｅは係止爪２ｂを解除するようにばね２ｄを押し縮める解除レバーを示す。
【００２２】
このように構成しても前記第１の実施の形態と同様の効果を奏すると共に、本体カバー８には操作用開口８ａを除いて開口した部分がなくなると共に、内鍔部８ｃの下面を反射面とできて光を反射しにくい部分を削減することができる。また、指掛け部８ｂが本体カバー８の内鍔部８ｃと、器具本体１の内鍔部１ｃとされているため、指掛け部８ｂの強度を確保し易い。
【００２３】
図５は、本発明の照明器具の第３の実施の形態を示すものであり、前記第２の実施の形態と異なる点は、指掛け部８ｂである内鍔部１ｃ、８ｃをホルダ部２の解除レバー２ｅを有する方向には幅広に、他の方向では幅狭に形成して器具本体１の支持個所を明確にした点と、電源孔２ａの下端をアダプタ部３が挿通せずコネクタのみが挿通するように小さく形成した点であり、他は前記第２の実施の形態と同様に構成されている。このように構成しても前記第２の実施の形態と同様の効果を奏する。
【００２４】
図６及び図７は、本発明の照明器具の第４の実施の形態を示すものであり、前記第２の実施の形態と異なる点は、指掛け部８ｂを本体カバー８に設けた内鍔部８ｃとした点と、ホルダ部２を形状が平面視が長径と短径とを有するように形成し、電源孔２ａをアダプタ部３が挿通せずコネクタのみが挿通するように小さく形成した点と、そのホルダ部２の前面側である下側であって本体カバー８との間に、ホルダ部２の中心を回転中心として回転し本体カバー８の操作用開口８ａを略塞ぐ蓋体１０を装着させ、この蓋体１０の装着状態におけるホルダ部２の短径方向の外側に、解除レバー２ｅを操作可能な一対の取付解除孔１０ａを設けた点であり、他は前記第２の実施の形態と同様に構成されている。
【００２５】
つまり、蓋体１０は、器具本体１の取付操作時は、取付解除孔１０ａから解除レバー２ｅが操作できる方向を向き、器具本体１の取付後は、略９０度回転させられて取付解除孔１０ａが本体カバー８の背面側に隠れるようにされているのである。また、蓋体１０の一対の取付解除孔１０ａの間には、コネクタ挿通孔１０ｂが設けられている。
【００２６】
このように構成しても前記第２の実施の形態と同様の効果を奏すると共に、本体カバー８の操作用開口８ａが蓋体１０により塞がれて反射面とでき、器具本体１の中央側での光の落ち込みを抑制できる。
【００２７】
【発明の効果】
このように構成されているため本発明は、請求項１記載の発明にあっては、指掛け部が、本体カバーの平面視でランプソケットに装着されたランプと重ならない部位に設けられているため、ランプソケットにランプを装着した状態であっても器具本体の取付操作を、指掛け部に指を引っ掛けて器具本体を支えて行うことができ、器具本体を落としにくくなって取付操作の作業性が向上する。
【００２８】
また、本体カバーには操作用開口を除いて開口した部分がなくなって、見栄えを良くできると共に、光を反射しにくい部分を削減することができる。
【００２９】
さらに、内鍔部の下面を反射面とできて光を反射しにくい部分を削減することができると共に、指掛け部が本体カバーの内鍔部と、器具本体の内鍔部とされているため、指掛け部の強度を確保し易い。
【図面の簡単な説明】
【図１】本発明の照明器具の第１の実施の形態の要部を示す斜視図である。
【図２】同上の一部断面状態を示す模式図である。
【図３】本発明の照明器具の第２の実施の形態の要部を示す断面図である。
【図４】同上の要部の詳細断面図である。
【図５】本発明の照明器具の第３の実施の形態の要部を示す平面図である。
【図６】本発明の照明器具の第４の実施の形態を示す分解斜視図である。
【図７】同上の要部の平面図である。
【図８】従来の照明器具を示す断面図である。
【図９】同上の要部の正面図である。
【符号の説明】
１      器具本体
１ａ    開口
１ｃ    内鍔部
２      ホルダ部
２ａ    電源孔
２ｂ    係止爪
３      アダプタ部
６      配線器具
７      ランプ
８      本体カバー
８ａ    操作用開口
８ｂ    指掛け部
８ｃ    内鍔部
１０    蓋体
１０ａ  取付解除孔
【図１】
0003845911.tif 000002
【図２】
0003845911.tif 000003
【図３】
0003845911.tif 000004
【図４】
0003845911.tif 000005
【図５】
0003845911.tif 000006
【図６】
0003845911.tif 000007
【図７】
0003845911.tif 000008
【図８】
0003845911.tif 000009
【図９】
0003845911.tif 000010